(57)【要約】【課題】  １台の給湯手段で複数世帯の給湯対象箇所への給湯ができるとともに設備コストの低減が図れる給湯装置を実現する。【解決手段】  複数の給湯配管１４ａ、１４ｂ、１４ｃは、一つの加熱装置２５で少なくとも２世帯向けの給湯対象へ混合された温水を導くように配設されるとともに、指示された動作モードが浴槽へのお湯張りのときは、その指示された動作モードに応じて起動するそれぞれの給湯用混合弁１５ａ、１５ｂ、１５ｃを起動させ、かつ指示された側の浴槽へのお湯張りを優先する制御装置２０を有する。これにより、設備コストの低減が図れる。【選択図】        図１
2006308233.tif 000002
【特許請求の範囲】
【請求項１】
給湯手段（２５）により加熱された温水と水とを混合させて温度調節する湯水混合手段（１５ａ、１５ｂ、１５ｃ）と前記湯水混合手段（１５ａ、１５ｂ、１５ｃ）により混合された温水を給湯対象箇所へ導く給湯通路（１４ａ、１４ｂ、１４ｃ）とをそれぞれ複数個有し、前記複数の湯水混合手段（１５ａ、１５ｂ、１５ｃ）を指示された動作モードに応じて起動させる給湯装置であって、
前記給湯通路（１４ａ、１４ｂ、１４ｃ）は、一つの前記給湯手段（２５）で複数世帯向けの給湯対象へ混合された温水を導くように配設されるとともに、
指示された動作モードが浴槽へのお湯張りのときは、その指示された動作モードに応じて起動する前記湯水混合手段（１５ａ、１５ｂ、１５ｃ）を起動させ、かつ指示された側の浴槽へのお湯張りを優先する制御手段（２０）を有することを特徴とする給湯装置。
【請求項２】
前記給湯通路（１４ａ、１４ｂ、１４ｃ）には、複数の浴槽へ通ずるお湯張り経路を有し、そのお湯張り経路が一系統とするための切換手段（４０ａ、４０ｂ）が設けられ、
前記制御手段（２０）は、指示された側の浴槽へお湯張りを優先するように前記切換手段（４０ａ、４０ｂ）を制御することを特徴とする請求項１に記載の給湯装置。
【請求項３】
前記制御手段（２０）は、一方側の浴槽へお湯張り動作中に他方側からお湯張りの動作モードが指示されたときに、他方側へのお湯張りを行わずにお湯張りの待機を報知する信号を出力することを特徴とする請求項１または請求項２のいずれか一項に記載の給湯装置。
【請求項４】
前記制御手段（２０）は、一方側の浴槽へお湯張り動作中に他方側からのお湯張り以外の動作モードが指示されたときに、その指示された動作モードに応じて起動する前記湯水混合手段（１５ａ、１５ｂ、１５ｃ）を起動させることを特徴とする請求項１ないし請求項３のいずれか一項に記載の給湯装置。
【発明の詳細な説明】
【技術分野】
【０００１】
本発明は、台所や浴室に温度調節された温水を給湯したり、浴槽にお湯張りなどを行う給湯装置に関するものであり、特に、複数世帯で一台の給湯手段を共用するときの制御に関する。
【背景技術】
【０００２】
従来、この種の給湯装置として、例えば、特許文献１に示すように、設備コストの低減を図るために複数世帯で一台の給湯手段を共用するように複数の給湯対象箇所へ通ずる給湯通路を配設したものが知られている。そして、この装置では、給湯手段の出湯温度を所定の温度に固定するとともに、各世帯のリモコンに給湯手段への通電を制御するロック式の電源スイッチを備え、この電源スイッチが閉成したときのみに開閉弁を開弁させて混合水栓に温水が流れるように構成している。
【特許文献１】特開２００２−３２９４０２号公報
【発明の開示】
【発明が解決しようとする課題】
【０００３】
しかしながら、上記特許文献１では、浴槽へのお湯張りを行う給湯通路、および給湯手段の加熱能力に関する記載が一切ないが、一般的にこの種の給湯手段は、台所、浴室、洗面所などの給湯と浴槽へのお湯張りとが同時に行える１世帯あたりの加熱能力を備えている。
【０００４】
つまり、上述した加熱能力を有する１台の給湯手段で、例えば、２世帯の浴槽へのお湯張りを同時に行うと、給湯能力が不足することで同時に使用することができない。また、同時に使用すると互いにお湯張り時間が長くなって使い勝手が悪い問題がある。
【０００５】
また、同時使用可能な大能力の給湯手段を用いれば良いが、これでは設備コストおよび設置面積が大となる問題がある。さらに、給湯手段の出湯温度を所定の温度に固定させてあるため世帯ごとに出湯温度を調節することができない問題がある。
【０００６】
そこで、本発明の目的は、上記点に鑑みたものであり、１台の給湯手段で複数世帯の給湯対象箇所への給湯ができるとともに設備コストの低減が図れる給湯装置を提供することにある。
【課題を解決するための手段】
【０００７】
上記目的を達成するために、請求項１ないし請求項４に記載の技術的手段を採用する。すなわち、請求項１に記載の発明では、給湯手段（２５）により加熱された温水と水とを混合させて温度調節する湯水混合手段（１５ａ、１５ｂ、１５ｃ）とこの湯水混合手段（１５ａ、１５ｂ、１５ｃ）により混合された温水を給湯対象箇所へ導く給湯通路（１４ａ、１４ｂ、１４ｃ）とをそれぞれ複数個有し、複数の湯水混合手段（１５ａ、１５ｂ、１５ｃ）を指示された動作モードに応じて起動させる給湯装置であって、
給湯通路（１４ａ、１４ｂ、１４ｃ）は、一つの給湯手段（２５）で複数世帯向けの給湯対象へ混合された温水を導くように配設されるとともに、
指示された動作モードが浴槽へのお湯張りのときは、その指示された動作モードに応じて起動する湯水混合手段（１５ａ、１５ｂ、１５ｃ）を起動させ、かつ指示された側の浴槽へのお湯張りを優先する制御手段（２０）を有することを特徴としている。
【０００８】
この発明によれば、１台の給湯手段（２５）で複数箇所へのお湯張りが交互に行うことができる。これにより、大容量の給湯手段（２５）を配設することはなく設備コストを低減できる。
【０００９】
請求項２に記載の発明では、給湯通路（１４ａ、１４ｂ、１４ｃ）には、複数の浴槽へ通ずるお湯張り経路を有し、そのお湯張り経路が一系統とするための切換手段（４０ａ、４０ｂ）が設けられ、制御手段（２０）は、指示された側の浴槽へお湯張りを優先するように切換手段（４０ａ、４０ｂ）を制御することを特徴としている。
【００１０】
この発明によれば、お湯張り経路を並列に二系統配設する方式よりも一系統の方が給湯通路（１４ａ、１４ｂ、１４ｃ）の設置空間の低減が図れるとともに施工コストの低減が図れる。
【００１１】
請求項３に記載の発明では、制御手段（２０）は、一方側の浴槽へお湯張り動作中に他方側からお湯張りの動作モードが指示されたときに、他方側へのお湯張りを行わずにお湯張りの待機を報知する信号を出力することを特徴としている。この発明によれば、お湯張りが待機中であることを確実に伝達できることで使い勝手が良い。
【００１２】
請求項４に記載の発明では、制御手段（２０）は、一方側の浴槽へお湯張り動作中に他方側からのお湯張り以外の動作モードが指示されたときに、その指示された動作モードに応じて起動する湯水混合手段（１５ａ、１５ｂ、１５ｃ）を起動させることを特徴としている。この発明によれば、例えば、台所、洗面もしくは浴室のシャワーなどの給湯がお湯張り動作中に同時使用できるので使い勝手が良い。また、これらの給湯が他世帯との同時使用ができるのでより使い勝手が良い。
【００１３】
なお、上記各手段の括弧内の符号は、後述する実施形態の具体的手段との対応関係を示すものである。
【発明を実施するための最良の形態】
【００１４】
（第１実施形態）
以下、本発明の第１実施形態における給湯装置を図１ないし図３に基づいて説明する。図１は本発明の給湯装置を二世帯向けの給湯対象箇所に適用させたものであって、その給湯装置の全体構成を示す模式図である。また、図２は制御装置２０におけるお湯張り動作モードのときの制御処理を示すフローチャートであり、図３はシャワー給湯動作モードのときの制御処理を示すフローチャートである。
【００１５】
本実施形態の給湯装置は、図１に示すように、給湯手段である加熱装置２５で加熱した高温のお湯を貯湯タンク１１内に貯え、必要に応じて貯湯タンク１１から導出した高温のお湯に水道水で混合させて所望する給湯温度の温水を給湯対象箇所に給湯するようにしている。
【００１６】
そして、給湯対象箇所として、２世帯向けの台所、浴室への給湯と、２世帯向けの浴槽１ａ、１ｂへのお湯張りとに温度調節された温水を導くように複数の給湯配管１４ａ、１４ｂ、１４ｃを配設している。まず、給湯装置の本体ユニット１０は、浴室１もしくは浴室２の近傍の屋外適所に配置され、貯湯タンク１１、複数の給湯通路である給湯用配管１４ａ、１４ｂ、１４ｃ、給湯手段である加熱装置２５、および制御手段である制御装置２０などから構成される。
【００１７】
貯湯タンク１１は、耐食性に優れた金属製（例えば、ステンレス製）のタンクであり、外周部に図示しない断熱材が配置されており、高温の湯を長時間に渡って保温することができる。形状は縦長形状であり、その底面には導入口１１ａが設けられ、この導入口１１ａには貯湯タンク１１内に水道水を導入する給水配管１２が接続されている。
【００１８】
また、給水用配管１２の上端には、導入される水道水の水圧が所定圧となるように調節するとともに、断水などにおける湯の逆流を防止する図示しない減圧逆止弁が設けられている。さらに、給水用配管１２には温度検出手段である給水サーミスタ３１が設けられており、給水用配管１２内の給水温度を後述する制御装置２０に出力する。
【００１９】
一方、貯湯タンク１１の最上部には導出口１１ｂが設けられ、この導出口１１ｂには貯湯タンク１１内に貯えられた高温のお湯を導出するための出湯配管１４が接続されている。この出湯配管１４には温度検出手段である出湯サーミスタ３２が設けられており、貯湯タンク１１内から出湯する出湯温度を後述する制御装置２０に出力する。
【００２０】
そして、出湯配管１４の経路途中には図示しない逃がし弁が設けられた排出配管を接続しており、貯湯タンク１１内の圧力が所定圧以上に上昇した場合には、貯湯タンク１１内のお湯を外部に排出して、貯湯タンク１１などにダメージを与えないようになっている。そして、出湯配管１４の下流側は温度調節された温水を給湯対象箇所へ導くための給湯配管１４ａ、１４ｂ、１４ｃに分岐している。
【００２１】
また、貯湯タンク１１内の導入口１１ａの近傍には、貯湯タンク１１内底部の水道水を吸入するための吸入口１１ｃが形成され、導出口１１ｂの近傍には、貯湯タンク１１内に加熱された湯を吐出する吐出口１１ｄが形成されている。この吸入口１１ｃと吐出口１１ｄとは循環水回路２２で接続されており、この循環水回路２２の一部は給湯手段である加熱装置２５内に配置されている。
【００２２】
そして、循環水回路２２の加熱装置２５内に配置された部分には、図示しない熱交換器が設けられており、吸入口１１ｃから吸入した貯湯タンク１１内底部の水道水を高温冷媒との熱交換により加熱して、吐出口１１ｄから貯湯タンク１１内に戻すことで貯湯タンク１１内のお湯を沸き上げることができる。
【００２３】
なお、本実施形態の加熱装置２５は、図示しない圧縮機、凝縮器、減圧器、蒸発器などのヒートポンプサイクルを構成する冷媒機能部品からなる超臨界ヒートポンプサイクルからなるヒートポンプ加熱装置である。超臨界ヒートポンプサイクルとは、高圧側の冷媒圧力が冷媒の臨界圧力以上となるヒートポンプサイクルを言い、例えば、二酸化炭素、エチレン、エタン、酸化窒素などを冷媒とするヒートポンプサイクルである。
【００２４】
また、加熱装置２５は、後述する制御装置２０からの制御信号により作動するとともにその作動状態を制御装置２０に出力する。なお、加熱装置２５は、動力源として交流電力を用い、主に料金設定の最も安い深夜時間帯における深夜電力を用い、深夜電力時間帯に貯湯タンク１１内のお湯を沸き上げるように制御されている。
【００２５】
因みに、超臨界ヒートポンプサイクルによれば、一般的なヒートポンプサイクルよりも高温（例えば、８５〜９０℃）のお湯を貯湯タンク１１内部に貯えることができる。なお、貯湯タンク１１の外壁面には、図示しないが複数の水位サーミスタが縦方向にほぼ等間隔に配置され、貯湯タンク１１内に満たされたお湯の各水位レベルでの温度情報を後述する制御装置２０に出力するようにしている。これは、水位サーミスタからの温度情報に基づいて、貯湯タンク１１内上方に沸き上げられたお湯と、貯湯タンク１１内下方に沸き上げる前の水との温度境界位置を検出するようにしている。
【００２６】
複数の給湯配管１４ａ、１４ｂ、１４ｃは、それぞれの上流側に設けられた湯水混合手段である給湯用混合弁１５ａ、１５ｂ、１５ｃで出湯配管１４から出湯した高温の湯と給水配管から導入した水道水とを混合させて温度調節された温水を給湯対象箇所に導く給湯用配管である。
【００２７】
それぞれの給湯用混合弁１５ａ、１５ｂ、１５ｃは、それぞれ下流側の給湯配管１４ａ、１４ｂ、１４ｃに流通する温水の湯温を調節する温度調節弁であり、それぞれが出湯配管１４と給水配管１２に繋がれており、それぞれ側の開口面積比を調節することで、出湯配管１４から取り出した高温のお湯と給水配管１２からの水道水との混合比を調節して使用者が設定した設定温度の温水に調節している。
【００２８】
また、それぞれの給湯用混合弁１５ａ、１５ｂ、１５ｃの下流側には、それぞれ給湯サーミスタ３３ａ、３３ｂ、３３ｃおよび流量カウンタ３４ａ、３４ｂ、３４ｃが配設されている。そして、それぞれの給湯サーミスタ３３ａ、３３ｂ、３３ｃはそれぞれの給湯配管１４ａ、１４ｂ、１４ｃ内の温水の温度情報、それぞれの流量カウンタ３４ａ、３４ｂ、３４ｃはそれぞれの流量情報を後述する制御装置２０に出力するようにしている。
【００２９】
なお、それぞれの給湯用混合弁１５ａ、１５ｂ、１５ｃは、それぞれの給湯サーミスタ３３ａ、３３ｂ、３３ｃで検出された温度情報に基づいてフィードバック制御している。そして、これらの給湯用混合弁１５ａ、１５ｂ、１５ｃは、後述する制御装置２０に電気的に接続されており、後述する操作パネル２３ａ、２３ｂで設定される設定温度と、上記給水サーミスタ３１、出湯サーミスタ３２、および給湯サーミスタ３３ａ、３３ｂ、３３ｃより検出される温度情報に基づいて制御される。
【００３０】
ここで、それぞれの給湯配管１４ａ、１４ｂ、１４ｃの接続先について説明する。まず、第１給湯配管１４ａは台所１と浴室１とに配設された給水栓２ａとシャワー水栓３ａとに通ずるように配設されている。この第１給湯配管１４ａの上流端に第１給湯用混合弁１５ａが設けられ、台所１、浴室１からの操作パネル２３ａの操作信号に基づいて第１給湯用混合弁１５ａが動作する。
【００３１】
また、第２給湯配管１４ｂは台所２と浴室２とに配設された給水栓２ｂとシャワー水栓３ｂとに通ずるように配設されている。この第２給湯配管１４ｂの上流端に第２給湯用混合弁１５ｂが設けられ、台所２、浴室２からの操作パネル２３ｂの操作信号に基づいて第２給湯用混合弁１５ｂが動作する。これにより、世帯ごとに１系統の独立させた給湯経路を形成している。
【００３２】
なお、浴室１、２に設けられたシャワー水栓３ａ、３ｂにはシャワーとカランとを切り換えるための取っ手（図示せず）が設けられており、この取っ手を反転させることでカランからの給湯かシャワーからの給湯かのいずれか一方を選択するようになっている。
【００３３】
そして、第３給湯配管１４ｃは、浴室１に設置される浴槽１ａと浴室２に設置される浴槽１ｂに通ずるように配設されるとともに、お湯張り経路が１系統となるように形成している。言い換えると、詳しくは後述するがお湯張り動作モードのときには、その動作モードを指示した浴室側を優先してその浴槽にお湯張りを行うことができるように給湯配管を構成している。
【００３４】
より具体的には、第３給湯用混合弁１５ｃの下流側に分岐点１４ｄを設け、この分岐点１４ｄと二つの浴槽１ａ、１ｂの吸水口５ａ、５ｂとを繋ぐ往き管１４ｅを配設する。そして、この往き管１４ｅには、いずれか一方の吸水口５ａ、５ｂに流れ方向を切り換えるための切換手段である第１切換弁４０ａを配設している。
【００３５】
さらに、分岐点１４ｄと二つの浴槽１ａ、１ｂの吐水口４ａ、４ｂとを繋ぐ戻り管１４ｆを配設する。そして、この戻り管１４ｆには、いずれか一方の吐水口４ａ、４ｂに流れ方向を切り換えるための切換手段である第２切換弁４０ｂを配設している。そして、第１切換弁４０ａと第２切換弁４０ｂとをいずれか一方の浴槽１ａ、１ｂ側に流れ方向を切り換えることで１系統のお湯張り経路が形成される。
【００３６】
つまり、お湯張り動作モードのときに、分岐点１４ｄと浴槽１ａ側とが通ずるように第１切換弁４０ａおよび第２切換弁４０ｂの流れ方向を切り換えると、第３給湯用混合弁１５ｃで温度調節された温水が浴槽１ａ側にお湯張りすることができる。また、第１切換弁４０ａおよび第２切換弁４０ｂの流れ方向を分岐点１４ｄと浴槽１ｂ側とが通ずるように切り換えれば浴槽１ｂ側にお湯張りすることができる。
【００３７】
なお、この第３給湯用混合弁１５ｃは、いずれか一方の操作パネル２３ａ、２３ｂからのお湯張り動作モードの操作信号に基づいて動作する。ところで、この第３給湯配管１４ｃには、１系統のお湯張り経路の他に、往き管１４ｅ側に配設された循環ポンプ３７を駆動させることで、いずれか一方の浴槽１ａ、１ｂ内の浴水を循環させるための循環経路が形成されている。つまり、浴槽１ａ、１ｂ内の浴水を吸水口５ａ、５ｂから吸水し往き管１４ｅから分岐点１４ｄを経由して戻り管１４ｆから吐水口４ａ、４ｂに戻す経路を形成している。
【００３８】
これは浴槽１ａ、１ｂ内の浴水を追い焚きするための循環回路であって、この場合においても、第１切換弁４０ａおよび第２切換弁４０ｂを制御することでいずれか一方の浴槽１ａ、１ｂ側の追い焚きができるものである。なお、循環ポンプ３７の下流側には、浴水温度を検出する浴水温サーミスタ３５、その上流側に往き管１４ｅの経路を開閉する電動弁３７、いずれか一方の浴槽１ａ、１ｂ内の浴水の水位を検出する水位センサ３６が配設されている。
【００３９】
なお、浴水温サーミスタ３６、水位センサ３６は、それぞれ温度情報および水位情報を後述する制御装置に出力するようにしている。また、第１切換弁４０ａ、第２切換弁４０ｂ、循環ポンプ３７および電動弁３８は、後述する制御装置２０に電気的に接続されており、動作モードに応じて制御される。
【００４０】
また、図中に示す２３ａ、２３ｂは、世帯ごとに配設される第１、第２操作パネルであって、浴室１側に第１操作パネル２３ａが配設され、浴室２側に第２操作パネル２３ｂが配設され、それぞれ給湯のための設定温度、お湯張りするためのお湯張り設定温度などの設定スイッチ、お湯張り、足し湯、追い焚きなどの動作モードを指令する操作スイッチなどが設けられており、これらの設定温度情報、動作モードなどの操作信号が後述する制御装置２０に入力するように電気的に接続されている。
【００４１】
次に、制御手段である制御装置２０は、マイクロコンピュータを主体として構成され、内蔵のＲＯＭ（図示せず）には、予め設定された制御プログラムが設けられており、給水サーミスタ３１、出湯サーミスタ３２、給湯サーミスタ３３ａ、３３ｂ、３３ｃａ、図示しない各種サーミスタなどからの温度情報、流量カウンタ３４ａ、３４ｂ、３４ｃからの流量情報および第１、第２操作パネル２３ａ、２３ｂからの操作信号などに基づいて加熱装置２５内のアクチュエータ類、給湯用混合弁１５ａ、１５ｂ、１５ｃ、第１切換弁４０ａ、第２切換弁４０ｂ、循環ポンプ３７および電動弁３８などを制御する。
【００４２】
なお、給水栓２ａ、２ｂおよびシャワー水栓３ａ、３ｂはそれぞれの水栓を開弁することで、それぞれの給湯配管１４ａ、１４ｂに設けられた流量カウンタ３４ａ、３４ｂからの流量情報に基づいて、それぞれの給湯用混合弁１５ａ、１５ｂが制御される。
【００４３】
また、第３給湯用混合弁１５ｃは、いずれか一方の第１、第２操作パネル２３ａからの動作モードのお湯張りが指令されると制御装置２０により制御され、第１切換弁４０ａと第２切換弁４０ｂとは、指令された側の浴槽１ａ、１ｂ側に通ずるように制御装置２０により切り換えられる。
【００４４】
なお、本実施形態では、第３給湯配管１４ｃを１系統のお湯張り経路の他に、往き管１４ｅと戻り管１４ｆで循環経路を形成したが、この循環経路を形成しなくても良い。このときには第１、第２切換弁４０ａ、４０ｂが１つで良い。
【００４５】
また、本実施形態では、第１、第２給湯配管１４ａ、１４ｂを浴室と台所に分岐させて世帯ごとに、それぞれ１系統で構成したが、これに限らず、浴室と台所とを分離させて１世帯あたり２系統ごとに給湯配管を構成しても良い。なお、浴室と台所、以外にも配設しても良い。
【００４６】
次に、上記構成による給湯装置の作動について図２および図３に基づいて説明する。図２はお湯張り動作おけるフローチャートであり、まず、第１、第２操作パネル２３ａ、２３ｂのいずれか一方でお湯張りスイッチ（図示せず）を操作すると、操作した側の操作パネル２３ａ、２３ｂから操作信号が制御装置２０に出力される。
【００４７】
そして、ステップ２１０にて、お湯張りが指示されたか否かを判定することでお湯張り動作を開始する。ここで、お湯張りが指示されたときは、ステップ２２０にて第３給湯用混合弁１５ｃの開弁を指令する。そして、ステップ２３０にて、操作した側の操作パネル２３ａ、２３ｂの操作信号よりお湯張り対象箇所が浴室１か浴室２かの判定をする。ここで、浴室１であればステップ２４０ａに移行する。
【００４８】
そして、ステップ２４０ａにて、第１、第２切換弁４０ａ、４０ｂを分岐点１４ｄと浴槽１ａとが通ずる流れ方向に切り換える。これにより、浴室１の浴槽１ａに第３給湯用混合弁１５ｃで温度調節された温水が吐水口４ａから浴槽１ａ内にお湯張りを行うことができる。このときの温水の設定温度は、第１操作パネル２３ａで設定されたお湯張りの設定温度に基づいて第３給湯用混合弁１５ｃにより温度調節される。
【００４９】
そして、ステップ２５０ａにて、浴室２側の第２操作パネル２３ｂに、「浴室１でお湯張り中」と表示される。そして、浴室１でお湯張り中に浴室２側からのお湯張りの指示があると、ステップ２６０ａにて、浴室２からお湯張りの指示があるか否かを判定する。
【００５０】
ここで、浴室２側にもお湯張りの指示があれば、ステップ２７０ａにて、浴室２側の第２操作パネル２３ｂにお湯張りの待機を表示して報知する。なお、このときに、ブザーなどの報知手段で報知しても良い。これにより、浴室１側でお湯張り中であれば浴室２側への同時お湯張りは行わない。
【００５１】
そして、ステップ２８０ａにて、浴室１側のお湯張りが完了したか否かを判定する。ここで、お湯張り中であればお湯張りが完了するまで待機する。そして、お湯張りが完了すれば、ステップ２９０ａにて、第１、第２切換弁４０ａ、４０ｂを分岐点１４ｄと浴槽１ｂとが通ずる流れ方向に切り換える。これにより、浴室２の浴槽１ｂに第３給湯用混合弁１５ｃで温度調節された温水が吐水口４ｂから浴槽１ｂ内にお湯張りを行うことができる。
【００５２】
そして、ステップ３００ａにて、浴室１側の第１操作パネル２３ａに、「浴室２でお湯張り中」と表示され、浴室２側の第２操作パネル２３ｂに表示されていた「浴室１でお湯張り中」の表示を解除する。
【００５３】
なお、ステップ２３０で判定したお湯張り対象箇所が浴室２のときには、ステップ２４０ｂないしステップ３００ｂの制御処理を実行するが、上述したステップ２４０ａないしステップ３００ａに対応した制御処理内容であるので詳細の説明は省略する。
【００５４】
以上のお湯張り動作の制御処理によれば、複数箇所へのお湯張りが同時使用でなく交互に行うことができる。これにより、大容量の加熱装置２５を配設することはなく設備コストを低減できる。また、お湯張り経路となる第３給湯配管１４ｃを並列に二系統配設する方式よりも一系統の方が第３給湯配管１４ｃの設置空間の低減が図れるとともに施工コストの低減が図れる。
【００５５】
また、一方側の浴槽１ａ、１ｂへお湯張り中に他方側からお湯張りの動作モードが指示されたときに、他方側へのお湯張りを行わずにお湯張りの待機を報知することにより、お湯張りが待機中であることを確実に伝達できることで使い勝手が良い。
【００５６】
なお、本実施形態では、ステップ２４０ａ、２４０ｂ、２９０ａ、２９０ｂのお湯張りのときに、温度調節された温水がいずれか一方の吐水口４ａ、４ｂから浴槽１ａ内にお湯張りを行うようにしたが、これに限らず、電動弁３８を開弁し、水位センサ３６で検出した水位情報が所定以上のときは、循環ポンプ３７を作動させることでお湯張り時間の短縮が図れる。
【００５７】
次に、台所や浴室で給水栓２ａ、２ｂもしくはシャワー水栓３ａ、３ｂを開弁させて給湯する動作モードにおけるフローチャートについて説明する。図３はシャワー動作におけるフローチャートであり、いずれか一方のシャワー水栓３ａ、３ｂを開弁することで、操作した側の流量カウンタ３４ａ、３４ｂの流量情報が制御装置２０に出力される。
【００５８】
そして、ステップ３１０にて、シャワーモードが指示されたか否かを判定することで給湯動作を開始する。ここで、シャワーモードが指示されたときは、ステップ３２０にて、操作した側の流量カウンタ３４ａ、３４ｂの流量情報より給湯対象箇所がシャワー１かシャワー２かの判定をする。ここで、シャワー１であればステップ３３０ａに移行する。
【００５９】
そして、ステップ３３０ａにて、第１給湯用混合弁１５ａの開弁を指令する。これにより、浴室１のシャワー１に第１給湯用混合弁１５ａで温度調節された温水がシャワー水栓３ａより給湯することができる。このときの温水の設定温度は、第１操作パネル２３ａで設定された給湯の設定温度に基づいて第１給湯用混合弁１５ａにより温度調節される。
【００６０】
そして、浴室１で給湯中に浴室２側からのシャワーモードの指示があると、ステップ３４０ａにて、浴室２からシャワーモードの指示があるか否かを判定する。ここで、浴室２側からもシャワーモードの指示があれば、ステップ３５０ａにて、第２給湯用混合弁１５ｂの開弁を指令する。
【００６１】
これにより、浴室２のシャワー２に第２給湯用混合弁１５ｂで温度調節された温水がシャワー水栓３ｂより給湯することができる。このときの温水の設定温度は、第２操作パネル２３ｂで設定された給湯の設定温度に基づいて第２給湯用混合弁１５ｂにより温度調節される。従って、それぞれのシャワー１、２で同時に給湯することができるとともに、給湯の設定温度もそれぞれの世帯で設定可能な設定温度に基づいた給湯ができる。
【００６２】
また、ステップ３２０で判定した給湯対象箇所が浴室２のシャワー２ときには、ステップ３３０ｂないしステップ３５０ｂの制御処理を実行するが、上述したステップ３３０ａないしステップ３５０ａに対応した制御処理内容であるので詳細の説明は省略する。
【００６３】
なお、以上の動作モードは、シャワー水栓３ａ、３ｂを開弁させて給湯する動作モードについて説明したが、これに限らず、台所の給水栓２ａ、２ｂを開弁して給湯する動作モードにおいても同様にできる。
【００６４】
以上の第１実施形態による給湯装置によれば、複数の給湯配管１４ａ、１４ｂ、１４ｃを一つの加熱装置２５で複数世帯向けの給湯対象へ混合された温水を導くように配設し、指示された動作モードが浴槽１ａ、１ｂへのお湯張りのときは、その指示された動作モードに応じて起動するそれぞれの給湯用混合弁１５ａ、１５ｂ、１５ｃを起動させ、かつ指示された側の浴槽１ａ、１ｂへのお湯張りを優先する制御装置２０を有することにより、複数箇所へのお湯張りが交互に行うことができる。これにより、大容量の加熱装置２５を配設することはなく設備コストを低減できる。
【００６５】
また、第３給湯配管１４ｃには、複数の浴槽１ａ１ｂへ通ずるお湯張り経路を有し、そのお湯張り経路が一系統とするための第１、第２切換弁４０ａ、４０ｂが設けられ、制御装置２０は、指示された側の浴槽１ａ、１ｂへお湯張りを優先するように第１、第２切換弁４０ａ、４０ｂを制御することにより、お湯張り経路を並列に二系統配設する方式よりも一系統の方が第３給湯配管１４ｃの設置空間の低減が図れるとともに施工コストの低減が図れる。
【００６６】
また、一方側の浴槽１ａ、１ｂへお湯張り動作中に他方側からお湯張りの動作モードが指示されたときに、他方側へのお湯張りを行わずにお湯張りの待機を報知するようにしたことにより、お湯張りが待機中であることを確実に伝達できることで使い勝手が良い。
【００６７】
また、一方側の浴槽１ａ、１ｂへお湯張り動作中に他方側からのお湯張り以外の動作モードが指示されたときに、その指示された動作モードに応じて起動するそれぞれの給湯用混合弁１５ａ、１５ｂ、１５ｃを起動させることにより、例えば、台所、洗面もしくは浴室のシャワーなどの給湯がお湯張り動作中に同時使用できるので使い勝手が良い。また、これらの給湯が他世帯との同時使用ができるのでより使い勝手が良い。
【００６８】
（第２実施形態）
以上の第１実施形態では、第３給湯配管１４ｃに、いずれか一方の浴槽１ａ、１ｂに通ずる第１、第２切換弁４０ａ、４０ｂを設けて、お湯張りのときに、お湯張りを指示した側の浴槽１ａ、１ｂ側に通ずるように制御させたが、これに限らず、図４に示すように、往き管１４ｅ、および戻り管１４ｆにそれぞれ２個の開閉弁４０ａ、４０ｂを設けて、指示された浴槽１ａ、１ｂ側が通ずるように制御するようにしても良い。
【００６９】
（他の実施形態）
以上の実施形態では、温水を加熱する給湯手段である加熱装置２５を超臨界ヒートポンプサイクルからなるヒートポンプ加熱装置に本発明を適用させたが、これに限らず、電気ヒータ、太陽熱、ガス、液体燃料による給湯器や湯沸かし器などを用いた給湯装置に適用させても良い。また、超臨界ヒートポンプサイクルの他に一般的なヒートポンプサイクルからなるヒートポンプ加熱装置に適用させても良い。
【００７０】
また、以上の実施形態では、１台の加熱装置２５を２世帯で共用するように構成させたが、これに限らず、１台の加熱装置２５を３、４世帯に共用するようにしても良い。
【図面の簡単な説明】
【００７１】
【図１】本発明の第１実施形態における給湯装置の全体構成を示す模式図である。
【図２】本発明の第１実施形態におけるお湯張り動作の制御処理を示すフローチャートである。
【図３】本発明の第１実施形態におけるシャワー動作の制御処理を示すフローチャートである。
【図４】本発明の第２実施形態における給湯装置の全体構成を示す模式図である。
【符号の説明】
【００７２】
１４ａ…第１給湯配管（給湯通路）
１４ｂ…第２給湯配管（給湯通路）
１４ｃ…第３給湯配管（給湯通路）
１５ａ…第１給湯用混合弁（湯水混合手段）
１５ａ…第２給湯用混合弁（湯水混合手段）
１５ａ…第３給湯用混合弁（湯水混合手段）
２０…制御装置（制御手段）
２５…加熱装置（給湯手段）
４０ａ…第１切換弁、開閉弁（切換手段）
４０ｂ…第２切換弁、開閉弁（切換手段）
【図１】
2006308233.tif 000003
【図２】
2006308233.tif 000004
【図３】
2006308233.tif 000005
【図４】
2006308233.tif 000006